(57)【要約】【課題】  建物の内装壁面の出隅又は入隅のコーナー角部の下端部で内装壁面と床面との取り合い部に用いる巾木の取付構造において、熟練工でなくても、高精度の加工機がなくても、作業性良く、しかも、仕上がり性と強度耐久性に優れ、コーナー部材と巾木との間に隙間や段差が生じることがなく、巾木の破損部や表面化粧材の剥離部が露出することがなく、施工仕上がり性等の品質安定性に優れた巾木取付構造を提供する。【解決手段】  住宅の内装壁面の出隅又は入隅コーナーで、交差する向きに設けられる二本の巾木を直角に連結する巾木の出隅又は入隅コーナー取付構造であって、二本の巾木と、コーナー部材とからなり、コーナー部材は略直角に折曲し水平片と垂下片とで、平面視Ｌ字型形状を有し、内装壁面の出隅又は入隅コーナー部で、両方の巾木のコーナー側端縁どうしをコーナー部材によって覆うようにして取り付けた。【選択図】        図１
2009281052.tif 000002
【特許請求の範囲】
【請求項１】
住宅の内装壁面の平面部に続くコーナー部の出隅部又は入隅部で、交差する向きに設けられている二本の巾木どうしを直角に連結する巾木の出隅又は入隅コーナー部取付構造であって、前記二本の巾木と、その間に設けられるコーナー部材とからなり、該コーナー部材は前記コーナー部に沿って略直角に折曲した上部水平片と該上部水平片の端縁から垂下して設けられている垂下片とで構成され、平面視及び垂直断面視略Ｌ字型形状を有し、前記内装壁面の出隅部又は入隅部のコーナー部で、両方の巾木のコーナー側端縁どうしが前記コーナー部材によって覆われるようにして取り付けられていることを特徴とする巾木の出隅又は入隅コーナー部取付構造。
【請求項２】
前記コーナー部材は前記巾木の厚みより若干大きな幅寸法を有し、平面視略直角に折曲した上部水平片と、該上部水平片の外側端縁から垂下して平面視略直角に折曲して形成され、前記巾木の高さ寸法より若干大きな高さ寸法を有する垂下片とからなり、垂直断面視逆Ｌ字型形状を有する出隅コーナー部材又は入隅コーナー部材であり、交差する向きに取り付けられている前記二本の巾木のコーナー側端縁で巾木の厚み方向が、前記コーナー部材の上部水平片で覆われ、巾木の高さ方向が前記コーナー部材の垂下片で覆われ、コーナー部材の上部水平片と垂下片とコーナー部の内装壁面と床面と巾木木口面とで囲われた空間部を内包していることを特徴とする請求項１に記載の巾木の出隅又は入隅コーナー部取付構造。
【請求項３】
前記コーナー部材の上部水平片及び垂下片の少なくとも何れか片方の左右両端縁にテーパー部が設けられていることを特徴とする請求項１又は請求項２に記載の巾木の出隅又は入隅コーナー部取付構造。
【請求項４】
前記コーナー部材の上部水平片の内側端縁から垂下して形成され、前記巾木の側端縁裏面に当接するように保持片が設けられ、該保持片と前記垂下片と上部水平片とで巾木側端縁が、その表裏面及び上部木端面を保持されていることを特徴とする請求項１〜請求項３のいずれかに記載の巾木の出隅又は入隅コーナー部取付構造。
【請求項５】
前記コーナー部材の垂下片の略直角に折曲する箇所の裏面に、内装壁面角部に向けて、単数個又は複数個の突出部が内装壁面に届く長さで形成されており、前記突出部が先端が尖った棒状体であることを特徴とする請求項１〜請求項３のいずれかに記載の巾木の出隅又は入隅コーナー部取付構造。
【請求項６】
前記コーナー部材の垂下片の略直角に折曲する箇所の裏面に、内装壁面角部に向けて、単数個又は複数個の突出部が内装壁面に届く長さで形成されており、前記突出部が所定高さ寸法を有する垂直片であることを特徴とする請求項１〜請求項３のいずれかに記載の巾木の出隅又は入隅コーナー部取付構造。
【請求項７】
前記突出部の先端部から枝分かれして、垂下片と略平行な片方向又は両方向に折曲し、巾木の裏面を受ける顎部が形成されていることを特徴とする請求項５又は請求項６に記載の巾木の出隅又は入隅コーナー部取付構造。
【請求項８】
前記コーナー部材の垂下片下部が略直角に内側に折曲し、巾木下部木端面に当接するようにして、内装壁面角部に向け、所定の幅を有する下部水平片が内装壁面に届く長さで形成されていることを特徴とする請求項１〜請求項７のいずれかに記載の巾木の出隅又は入隅コーナー部取付構造。
【発明の詳細な説明】
【技術分野】
【０００１】
本発明は建物の内装部材として内装壁面の下端部で内装壁面と床面との取り合い部に用いられる巾木であって、詳しくは内装壁面の出隅又は入隅コーナーに用いられる巾木の取付構造に関する。
【背景技術】
【０００２】
従来、住宅等建物の内装壁面下端部において、内装壁面下端部と床面端部との取り合い部に化粧造作部材としての巾木を取り付け、内装壁面下端部と床面端部との間に生じ易い隙間等を外観から見えないように化粧してうまく隠すことが行われてきた。この場合に巾木部材がよく用いられてきた。
【０００３】
また、内装壁は平面のみでなく、住宅の間取りによっては、内装壁自体が出隅コーナー部Ｄ又は入隅コーナー部Ｅを形成し、コーナー部分に折曲して施工されることも多々あった。このように、住宅等建物の内装壁面において、前記出隅コーナー部Ｄ又は入隅コーナー部Ｅにも巾木１１を取り付ける必要があった。
【０００４】
この場合、図７に示す従来例のように、通常は、二方向から交差する向きに取り付けられる２本の巾木１１どうしを、一方の巾木１１のコーナー側端縁１１ａに他方の巾木１１の木口面１１ｂを当接させて取り付け、木口面１１ｂの化粧されていない基材が露出する箇所に木口化粧材の小片Ｋを貼着して基材の露出を隠していた。いわゆる突き合わせ加工部Ｌを形成するように取り付けていた。
【０００５】
また、他の場合、巾木１１の出隅コーナー部Ｄ又は入隅コーナー部Ｅ側の側端縁１１ａを、巾木１１の表面側又は裏面側から厚み方向に斜めに、略４５度に切断し、該切断面どうしを当接させ、当接面に接着剤を用いて、糊釘併用で巾木１１をコーナー角部に取り付け固定することも行われてきた。２本の巾木の両方のコーナー側の側端縁１１ａどうしを、いわゆる留め加工部Ｍを形成するようにして取り付けることも行われてきた。
【０００６】
また、他の場合、１本の十分な長さを有する巾木を、出隅又は入隅コーナーとなる所定の位置で巾木裏面側から、表面化粧材を含む薄層を残すようにして断面視Ｖ字型形状溝を設けるか、又は、出隅又は入隅コーナーとなる所定の位置で巾木表面側から、裏面基材の薄層を残すようにして断面視Ｖ字型形状溝を設けるかのいずれかの加工、いわゆるＶカット加工を施し、内装壁面の出隅又は入隅コーナー部に取り付け、２本の巾木の両方のコーナー側の端縁どうしを、いわゆる留め加工で取り付けることも行われてきた。
【０００７】
また、コーナー専用部材を特別に用意することも行われていた。例えば、建物内部の隅仕舞をおこなう巾木等の隅仕舞部材によって巾木を入隅または出隅コーナー部に納める構造で、隅仕舞部材の切断が容易で、入隅または出隅において美感良く設置することができる建築用コーナー仕舞部材及びその施工構造として、出隅又は入隅において、２方向から交差する向きに配設される巾木の端面が当接する当接面をもったコーナー片と当接面から直角方向に延設され、内装壁面と略同一厚みの固定片を有する隅仕舞部材及びそれを用いた巾木の取り付け構造の記載がある。（例えば、特許文献１参照）。
【０００８】
【特許文献１】特開２００６−０３７３６８号公報（第１−５頁、第１−５図）
【発明の開示】
【発明が解決しようとする課題】
【０００９】
しかしながら、上記従来技術のなかで、二方向から交差する向きに取り付けられる２本の巾木どうしを、一方の巾木のコーナー側端縁に他方の巾木の木口面を当接させて取り付け、木口面の化粧されていない基材が露出する箇所に化粧材の小片を貼着して基材の露出を隠す取り付け構造では、共柄の化粧材の小片を特別に施工現場で容易する必要があり、巾木木口面といった小さな箇所に見栄え良く共柄の化粧材を貼着することは作業性が劣るのみならず、熟練工でないと困難であった。
【００１０】
また、２本の巾木の両方のコーナー側の端縁を、巾木の表面側又は裏面側から厚み方向に斜めに、略４５度に切断し、該切断面どうしを当接させ、当接面に接着剤を用いて、糊釘併用で巾木をコーナー部に取り付け固定するといった、いわゆる、留め加工で取り付ける方法においては、巾木の端縁を極力正確に４５度の切断角度で厚み方向を斜めカットする必要があり、熟練工でないと、留め加工の角部で２本の巾木どうしの間で隙間が生じたり、化粧材の剥離が生じたりして仕上がり性が劣るものとなっていた。さらに、留め加工の場合、留め部分に外部から衝撃力が加わると、どうしても留め部分が弱く場合によっては破損するといった恐れがあった。
【００１１】
また、十分な長さのある１本の巾木を、内装壁面のコーナー角部に当たる位置で、いわゆるＶカット加工を施し、留め加工で取り付ける方法においては、熟練工のみならず、加工精度の良いＶカット専用の加工機を必要とし、加工技術的にも困難なものであった。さらに、Ｖカットされた巾木を取り付ける前は、前記Ｖカットの箇所が極めて弱く、施工現場でのハンドリングによって、Ｖカットの箇所で表面化粧材の残部薄層又は裏面基材の残部薄層が破損するといった恐れがあった。
【００１２】
また、上記特開２００６−０３７３６８号公報に記載されている巾木取り付け構造、すなわち、出隅又は入隅のコーナー角部において、２方向から交差する向きに配設された巾木の端面が当接する当接面が設けられたコーナー片と、当接面から直角方向に延設され、内装壁面と略同一厚みの固定片を有する隅仕舞部材及びそれを用いた巾木の取り付け構造
においては、交差する向きに設けられる２本の巾木のコーナー側の端縁の木口面が、前記隅仕舞部材の当接面に当接して取り付けられることになるが、この場合、熟練工が正確に巾木を切断しないと、該当接面において、隅仕舞部材の当接面と巾木のコーナー側の端縁の木口面との間に隙間が生じる恐れがあった。また、前記当接面において、巾木の表面化粧材が剥離し易くなったり、巾木の破損部が生じたり、該破損部や表面化粧材の剥離箇所が露出して極めて見苦しくなるといった問題点もあった。
【００１３】
本発明の目的は、建物の内装部材として内装壁面の出隅部又は入隅部のコーナー角部の下端部で、内装壁面と床面との取り合い部に用いる巾木の取り付け構造において、熟練工でなくても、また、高精度の加工機がなくても、作業性良く、しかも、仕上がり性及び強度耐久性に優れ、コーナー部材と巾木との取り合い部において隙間等が生じることがなく、巾木の破損部や表面化粧材の剥離箇所が露出することがなく、施工仕上がりの品質の安定性が高い巾木の取り付け構造を提供することにある。
【課題を解決するための手段】
【００１４】
上記課題を解決するためになされた請求項１に記載の巾木の出隅又は入隅コーナー部取付構造は、住宅の内装壁面の平面部に続くコーナー部の出隅部又は入隅部で、交差する向きに設けられている二本の巾木どうしを直角に連結する巾木の出隅又は入隅コーナー部取付構造であって、前記二本の巾木と、その間に設けられるコーナー部材とからなり、該コーナー部材は前記コーナー部に沿って略直角に折曲した上部水平片と該上部水平片の端縁から垂下して設けられている垂下片とで構成され、平面視及び垂直断面視略Ｌ字型形状を有し、前記内装壁面の出隅部又は入隅部のコーナー部で、両方の巾木のコーナー側端縁どうしが前記コーナー部材によって覆われるようにして取り付けられていることを特徴とする。
【００１５】
このような構成によれば、建物の内装部材として内装壁面の出隅部又は入隅部のコーナー角部の下端部で、内装壁面と床面との取り合い部に用いる巾木の取り付け構造において、熟練工でなくても、また、高精度の加工機がなくても作業性良く、また仕上がり性及び強度耐久性にも優れたものとなる。さらに、コーナー部材と巾木との取り合い部において隙間等が生じることがない。また、表面化粧材の剥離等の発生箇所が露出することがないので、施工仕上がりが良く、品質の安定性にも優れる。
【００１６】
請求項２に記載の発明は、請求項１に記載の巾木の出隅又は入隅コーナー部取付構造において、前記コーナー部材は前記巾木の厚みより若干大きな幅寸法を有し、平面視略直角に折曲した上部水平片と、該上部水平片の外側端縁から垂下して平面視略直角に折曲して形成され、前記巾木の高さ寸法より若干大きな高さ寸法を有する垂下片とからなり、垂直断面視逆Ｌ字型形状を有する出隅コーナー部材又は入隅コーナー部材であり、交差する向きに取り付けられている前記二本の巾木のコーナー側端縁で巾木の厚み方向が、前記コーナー部材の上部水平片で覆われ、巾木の高さ方向が前記コーナー部材の垂下片で覆われ、コーナー部材の上部水平片と垂下片とコーナー部の内装壁面と床面と巾木木口面とで囲われた空間部を内包していることを特徴とする。
【００１７】
このような構成によれば、前記コーナー部材の上部水平片と垂下片とで巾木を覆うので、前記隙間の発生防止、表面化粧材の剥離箇所の露出防止、施工仕上がり性、施工品質、施工作業性にとって、よりいっそう好適である。さらに、前記空間部によって、交差する向きに設けられている二本の巾木の長さが多少長目でも、前記空間部に吸収される。従って、巾木の長さ寸法に多少の誤差があっても、精度の良い取り付け構造が可能となる。
【００１８】
請求項３に記載の発明は、請求項１又は請求項２に記載の巾木の出隅又は入隅コーナー部取付構造において、前記コーナー部材の上部水平片及び垂下片の少なくとも何れか片方の左右両端縁にテーパー部が設けられていることを特徴とする。
【００１９】
このような構成によれば、前記コーナー部材の上部水平片及び垂下片の端縁と巾木との取り合い部分で、前記テーパーの働きで、上部水平片と巾木上部木端面との間、及び、垂下片と巾木表面との間の段差が極めて小さくなり、仕上がり精度がよりいっそう向上する。
【００２０】
請求項４に記載の発明は、請求項１〜請求項３のいずれかに記載の巾木の出隅又は入隅コーナー部取付構造において、前記コーナー部材の上部水平片の内側端縁から垂下して形成され、前記巾木の側端縁裏面に当接するように保持片が設けられ、該保持片と前記垂下片と上部水平片とで巾木側端縁が、その表裏面及び上部木端面を保持されていることを特徴とする。
【００２１】
このような構成によれば、コーナー部材を巾木に被せるようにして取り付ける際、前記コーナー部材を巾木側端縁上方から下方へコーナー部材を落とし込むように取り付けることができるので、コーナー部材の取り付けが極めて簡単に行える。すなわち、コーナー部材の上部水平片の内側端縁から垂下して形成される保持片と前記垂下片と上部水平片とで巾木の側端縁において、巾木の表裏面及び上部木端面が保持されるようにして取り付けすることができる。従って、取り付け作業性が極めて良く、しかも、取り付け強度耐久性にも優れる。
【００２２】
請求項５に記載の発明は、請求項１〜請求項３のいずれかに記載の巾木の出隅又は入隅コーナー部取付構造において、前記コーナー部材の垂下片の略直角に折曲する箇所の裏面に、内装壁面角部に向けて、単数個又は複数個の突出部が内装壁面に届く長さで形成されており、前記突出部が先端が尖った棒状体であることを特徴とする。
【００２３】
このような構成によれば、コーナー部材を巾木に取り付ける際、前記コーナー部材の垂下片の略直角に折曲する箇所の裏面に設けられた先端が尖った棒状体からなる突出部をコーナーの角部に差し込むようにして押し込めば、巾木をコーナー部材に取り付けた際、コーナー部材が巾木を覆うようにした状態で極めて簡単に取り付け可能で、極めて施工作業性がよい巾木取り付け構造が可能となる。
【００２４】
請求項６に記載の発明は、請求項１〜請求項３のいずれかに記載の巾木の出隅又は入隅コーナー部取付構造において、前記コーナー部材の垂下片の略直角に折曲する箇所の裏面に、内装壁面角部に向けて、単数個又は複数個の突出部が内装壁面に届く長さで形成されており、前記突出部が所定高さ寸法を有する垂直片であることを特徴とする。
【００２５】
このような構成によれば、コーナー部材を巾木に取り付ける際、前記コーナー部材の垂下片の略直角に折曲する箇所の裏面に設けられた所定高さ寸法を有する垂直片からなる突出部をコーナーの角部に差し込むようにして押し込めば、巾木をコーナー部材に取り付けた際、コーナー部材が巾木を覆うようにした状態で極めて簡単に取り付け可能で、極めて施工作業性がよい巾木取り付け構造が可能となる。
【００２６】
請求項７に記載の発明は、請求項５又は請求項６に記載の巾木の出隅又は入隅コーナー部取付構造において、前記突出部の先端部から枝分かれして、垂下片と略平行な片方向又は両方向に折曲し、巾木の裏面を受ける顎部が形成されていることを特徴とする。
【００２７】
このような構成によれば、巾木の裏面を受ける前記顎部の働きでしっかりとした巾木の取り付けが可能となる。すなわち、垂下片と顎部で巾木をしっかりと保持することができるので、強度耐久性に優れた巾木取り付け構造が可能となる。
【００２８】
請求項８に記載の発明は、請求項１〜請求項７のいずれかに記載の巾木の出隅又は入隅コーナー部取付構造において、前記コーナー部材の垂下片下部が略直角に内側に折曲し、巾木下部木端面に当接するようにして、内装壁面角部に向け、所定の幅を有する下部水平片が内装壁面に届く長さで形成されていることを特徴とする。
【００２９】
このような構成によれば、コーナー部材の垂下片下部が略直角に内側に折曲し、巾木下部木端面に当接するようにして、内装壁面角部に向けて設けられている下部水平片の働きで、しっかりとした巾木の取り付けが可能となる。すなわち、上部水平片と下部水平片とで巾木をしっかりと保持することができるので、強度耐久性に優れた巾木取り付け構造が可能となる。
【発明の効果】
【００３０】
請求項１に記載の発明によれば、建物の内装部材として内装壁面の出隅部又は入隅部のコーナー角部の下端部で、内装壁面と床面との取り合い部に用いる巾木の取り付け構造において、熟練工でなくても、また、高精度の加工機がなくても作業性良く、また仕上がり性及び強度耐久性にも優れたものとなる。さらに、コーナー部材と巾木との取り合い部において隙間等が生じることがない。また、表面化粧材の剥離等の発生箇所が露出することがないので、施工仕上がりが良く、品質の安定性にも優れる。
【００３１】
請求項２に記載の発明によれば、前記コーナー部材の上部水平片と垂下片とで巾木を覆うので、前記隙間の発生防止、表面化粧材の剥離箇所の露出防止、施工仕上がり性、施工品質、施工作業性にとって、よりいっそう好適である。さらに、前記空間部によって、交差する向きに設けられている二本の巾木の長さが多少長目でも、前記空間部に吸収される。従って、巾木の長さ寸法に多少の誤差があっても、精度の良い取り付け構造が可能となる。
【００３２】
請求項３に記載の発明によれば、前記コーナー部材の上部水平片及び垂下片の端縁と巾木との取り合い部分で、前記テーパーの働きで、上部水平片と巾木上部木端面との間、及び、垂下片と巾木表面との間の段差が極めて小さくなり、仕上がり精度がよりいっそう向上する。
【００３３】
請求項４に記載の発明によれば、コーナー部材を巾木に被せるようにして取り付ける際、前記コーナー部材を巾木側端縁上方から下方へコーナー部材を落とし込むように取り付けることができるので、コーナー部材の取り付けが極めて簡単に行える。すなわち、コーナー部材の上部水平片の内側端縁から垂下して形成される保持片と前記垂下片と上部水平片とで巾木の側端縁において、巾木の表裏面及び上部木端面が保持されるようにして取り付けすることができる。従って、取り付け作業性が極めて良く、しかも、取り付け強度耐久性にも優れる。
【００３４】
請求項５に記載の発明によれば、コーナー部材を巾木に取り付ける際、前記コーナー部材の垂下片の略直角に折曲する箇所の裏面に設けられた先端が尖った棒状体からなる突出部をコーナーの角部に差し込むようにして押し込めば、巾木をコーナー部材に取り付けた際、コーナー部材が巾木を覆うようにした状態で極めて簡単に取り付け可能で、極めて施工作業性がよい巾木取り付け構造が可能となる。
【００３５】
請求項６に記載の発明によれば、コーナー部材を巾木に取り付ける際、前記コーナー部材の垂下片の略直角に折曲する箇所の裏面に設けられた所定高さ寸法を有する垂直片からなる突出部をコーナーの角部に差し込むようにして押し込めば、巾木をコーナー部材に取り付けた際、コーナー部材が巾木を覆うようにした状態で極めて簡単に取り付け可能で、極めて施工作業性がよい巾木取り付け構造が可能となる。
【００３６】
請求項７に記載の発明によれば、巾木の裏面を受ける前記顎部の働きでしっかりとした巾木の取り付けが可能となる。すなわち、垂下片と顎部で巾木をしっかりと保持することができるので、強度耐久性に優れた巾木取り付け構造が可能となる。
【００３７】
請求項８に記載の発明によれば、コーナー部材の垂下片下部が略直角に内側に折曲し、巾木下部木端面に当接するようにして、内装壁面角部に向けて設けられている下部水平片の働きで、しっかりとした巾木の取り付けが可能となる。すなわち、上部水平片と下部水平片とで巾木をしっかりと保持することができるので、強度耐久性に優れた巾木取り付け構造が可能となる。
【発明を実施するための最良の形態】
【００３８】
本発明の詳細を図面に従って説明する。図１は本発明の第一実施形態における出隅コーナー部の巾木取り付け構造で、（イ）は水平断面図で、（ロ）は（イ）に於けるＡ−Ａ線垂直断面図である。図２は本発明の第一実施形態における出隅用コーナー部材を示し、（イ）は斜視図で、（ロ）は平面図で、（ハ）はＡ−Ａ線垂直断面図で、（ニ）はＢ−Ｂ線水平断面図である。図３は本発明の第二実施形態における入隅コーナー部の巾木取り付け構造の水平断面図である。図４は本発明の第二実施形態における出隅用コーナー部材の一例を示し、（イ）は斜視図、（ロ）はＡ−Ａ線水平断面図、（ハ）はＢ−Ｂ線垂直断面図である。図５は本発明の第二実施形態における入隅用コーナー部材の一例を示し、（イ）は斜視図、（ロ）はＡ−Ａ線水平断面図、（ハ）はＢ−Ｂ線垂直断面図である。図６は本発明の第二実施形態における出隅又は入隅用コーナー部材のバリエーションを示し、（イ）〜（ハ）は出隅用コーナー部材を示し、（ニ）〜（ヘ）は入隅用コーナー部材を示し、（イ）は出隅用コーナー部材の水平断面図、（ロ）及び（ハ）は垂直断面図である。（ニ）は入隅用コーナー部材の水平断面図、（ホ）及び（ヘ）は垂直断面図である。図中の符号１は巾木、１ａは巾木のコーナー側端縁、１ｂは巾木の上部木端面、１ｃは巾木の下部木端面、２は第一実施形態における巾木コーナー部材、２ａは第一実施形態における出隅用コーナー部材、２ｂは第一実施形態における入隅用コーナー部材、３は第二実施形態における巾木コーナー部材、３ａは第二実施形態における出隅用コーナー部材、３ｂは第二実施形態における入隅用コーナー部材、Ｆ１は上部水平片、Ｆ２は下部水平片、Ｓは垂下片、Ｈは保持片、Ｒはリブ、Ｐはテーパー部、Ｕは空間部、Ｔは突出部、Ｇは顎部、４は内装材、Ｎは釘、木ネジ等の機械的取付手段、Ｄは出隅コーナー部、Ｅは入隅コーナー部、Ｙは床面を示す。
【００３９】
図１、図２において、本発明の巾木取り付け構造の第一実施形態における出隅コーナー部Ｄの巾木取り付け構造、及び、それに用いる第一実施形態における出隅用コーナー部材２ａの詳細を示す。また、詳述しないが、本発明の巾木取り付け構造の第一実施形態における入隅コーナー部Ｅの巾木取り付け構造、及び、それに用いる第一実施形態における入隅用コーナー部材２ｂについても基本は同じである。
【００４０】
住宅の出隅コーナー部Ｄの内装壁面に内装材４が張り付けられ、出隅コーナー部Ｄが形成されている。該出隅コーナー部Ｄにおいて、二枚の内装材４が略直角方向に設けられ、それぞれの平面部に二本の巾木１が交差する向きに取り付けられている。平面部における巾木１の取り付け方法は、両面接着テープ、接着剤等に、釘、ステープル、木ネジ等の機械的取付手段Ｎを併用して取り付けられている。さらに、前記二本の巾木１は出隅コーナー部Ｄにおいて、巾木コーナー部材２によって覆われるようにして取り付けられている。
【００４１】
第一実施形態における出隅コーナー部Ｄに用いる前記コーナー部材２は、本例では、出隅用コーナー部材２ａである。該第一実施形態における出隅用コーナー部材２ａは、平面視略直角に折曲した形状を有し、出隅コーナー部Ｄの平面形状に対応した略Ｌ字型形状を有しており、垂直断面形状は、略逆Ｌ字型形状を有している。すなわち、平面視略直角に折曲した上部水平片Ｆ１と、該上部水平片Ｆ１の外側端縁から垂下して形成されて平面視略直角に折曲した垂下片Ｓとで構成されており、垂直断面視略逆Ｌ字型形状を有している。
【００４２】
前記、垂下片Ｓは巾木１の高さ寸法より若干大きな高さ寸法を有している。第一実施形態における入隅用コーナー部材２ｂも、その形状が入隅コーナー部Ｅに対応した形状とされている以外は上記出隅用コーナー部材２ａと基本的な構成は同様である。
【００４３】
前記交差する向きに取り付けられている前記二本の巾木１の厚み方向が、前記出隅コーナー部材２ａの上部水平片Ｆ１で覆われ、二本の巾木１の高さ方向が、前記出隅コーナー部材２ａの垂下片Ｓで覆われている。このようにして、出隅コーナー部材２ａの上部水平片Ｆ１と垂下片Ｓと内装壁面に設けられた内装材４と床面Ｙと巾木コーナー側端縁１ａの木口面とで囲われた空間部Ｕが内包されるようにして構成されている。このようにして、出隅コーナー部Ｄにおいて、交差するように取り付けられている前記二本の巾木１のコーナー側端縁１ａの箇所が、出隅用コーナー部材２ａによって覆われ、切断不良箇所などの外観的に見苦しい箇所が有効に隠蔽されており、外観上見栄えが向上する。第一実施形態における入隅用コーナー部材２ｂも、その形状が入隅コーナー部Ｅに対応した形状とされている以外は上記出隅用コーナー部材２ａと基本は同様である。
【００４４】
また、出隅コーナー部Ｄにおける内装壁面の内装材４と床面Ｙとの取り合い部に巾木１を取り付けるのに際して、熟練工でなくても、また、高精度の加工機械がなくても、作業性良く、しかも、外観の仕上がり性良く取り付け施工できる。さらに、巾木１の取り付け強度耐久性にも優れたものとなる。さらに、出隅用コーナー部材２ａと巾木１との取り合い部において隙間等が生じることがなく、巾木の破損部や表面化粧材の剥離等の発生箇所が露出することがないので、施工仕上がりが良く、品質の安定性にも優れる。
【００４５】
また、前記空間部Ｕが設けられていることで、交差する向きに設けられている二本の巾木１の長さが多少長目でも、前記空間部Ｕに吸収される。このことによって、施工時に、巾木１の長さを切断する時、切断寸法に多少の誤差が生じても、精度の良い取り付け構造が可能となる。
【００４６】
また、前記出隅用コーナー部材２ａの上部水平片Ｆ１及び垂下片Ｓの少なくとも何れか片方の左右の両方の端縁にテーパー部Ｐが設けられている。このように、テーパー部Ｐを設けると、出隅用コーナー部材２ａの上部水平片Ｆ１と巾木１との取り合い部分において、前記テーパー部Ｐの働きで、上部水平片Ｆ１の左右両端縁と巾木１の上部木端面１bとの間の段差が極めて小さくなり、仕上がり精度良く巾木１の取り付けが可能となる。
【００４７】
また、出隅用コーナー部材２ａの垂下片Ｓと巾木１との取り合い部分において、前記テーパー部Ｐの働きで、垂下片Ｓの左右両端縁と巾木１の表面との間の段差が極めて小さくなり、仕上がり精度良く巾木１の取り付けが可能となる。第一実施形態における入隅用コーナー部材２ｂも、その形状が入隅コーナー部Ｅに対応した形状とされている以外は上記出隅用コーナー部材２ａと同様である。
【００４８】
第一実施形態における出隅用コーナー部材２ａの詳細を図１図２に従って述べる。出隅用コーナー部材２ａは前記したように、平面視略直角に折曲した略Ｌ字型形状を有し、出隅コーナー部Ｄの平面形状に対応した形状を有し、垂直断面形状においても、略直角に折曲した略逆Ｌ字型形状を有している。すなわち、平面視略直角に折曲した上部水平片Ｆ１と、該上部水平片Ｆ１の外側端縁から垂下して形成されて平面視略直角に折曲した垂下片Ｓとで構成されており、垂直断面視略逆Ｌ字型形状を有している。該垂下片Ｓは巾木１の高さ寸法より若干大きな高さ寸法を有している。
【００４９】
建物の内装材４の出隅コーナー部Ｄの下端部で、内装材４と床面Ｙとの取り合い部に用いる巾木１の取り付け構造において、熟練工でなくても、また、高精度の加工機がなくても作業性良く、また仕上がり性及び強度耐久性にも優れた巾木１の取り付け構造が可能となる。さらに、出隅用コーナー部材２ａと巾木１との取り合い部において隙間等が生じることがない。また、表面化粧材が剥離した箇所等も露出することがなく、施工仕上がりが向上し品質の安定性にも優れる。
【００５０】
また、前記出隅用コーナー部材２ａの上部水平片Ｆ１と垂下片Ｓとで巾木１を覆うので、前記隙間の発生防止、表面化粧材の剥離箇所の隠蔽、施工仕上がり性の向上、施工品質の向上、施工作業性の向上にとって、よりいっそう好適である。さらに、前記空間部Ｕによって、交差する向きに設けられている二本の巾木１の切断寸法に誤差が生じ、巾木の長さが多少長目でも、前記空間部Ｕに吸収される。従って、巾木１の長さ寸法に多少の誤差があっても、精度の良い取り付け構造が可能となる。
【００５１】
また、前記出隅用コーナー部材２ａの上部水平片Ｆ１の内側端縁から、前記垂下片Ｓと略平行して垂下して平面視略直角に形成された、垂下片Ｓよりもやや短い高さ寸法を有する保持片Ｈが設けられている。該保持片Ｈは、出隅用コーナー部材２ａを出隅コーナー部Ｄの箇所において、交差するように設けられた二本の巾木１を覆うように被せた際、巾木のコーナー側端縁１ａの裏面に当接するように設けられている。該保持片Ｈと垂下片Ｓと上部水平片Ｆ１とで巾木のコーナー側端縁１ａが、その表面と裏面及び上部木端面１ｂが保持されている。この時、互いに略平行して垂下して設けられている垂下片Ｓと保持片ＨとはリブＲによって接続され出隅用コーナー部材２ａの強度全体が維持されている。
【００５２】
前記出隅用コーナー部材２ａを巾木１に被せるようにして取り付ける際、前記保持片Ｈが設けられていると、前記出隅用コーナー部材２ａを巾木のコーナー側端縁１ａの上方から下方へ出隅用コーナー部材２ａを落とし込むように取り付けることができる。従って、出隅用コーナー部材２ａの取り付けが極めて簡単に行える。すなわち、出隅用コーナー部材２ａの上部水平片Ｆ１の内側端縁から垂下して平面視略直角に形成されている保持片Ｈと前記垂下片Ｓと上部水平片Ｆ１とで巾木のコーナー側端縁１ａにおいて、巾木１の表面裏面及び上部木端面１ｂが保持されるようにして取り付けすることができる。従って、取り付け作業性が極めて良く、しかも、取り付け強度耐久性にも優れる。
【００５３】
また、前記リブＲは、出隅コーナー部に形成されている前記空間部Ｕ内に納められた構成とされている。また、前記リブＲは棒状体又は平板状体のいずれかである。図２に一例として示すのは、平板状体の保持片Ｈの例である。出隅用コーナー部材２ａに必要な強度が維持できるように棒状体又は平板状体のいずれかを選択すればよい。平板状体の方が強度維持には好適であるが、出隅用コーナー部材２ａの材質によっては、棒状体であっても強度維持が十分である場合もあり、必要とする強度とコストを勘案して決めればよい。
【００５４】
前記出隅用コーナー部材２ａの材質としては、硬質の合成樹脂成型体や金属製のものが強度等を考慮すると好適である。合成樹脂成型体としては、ＡＢＳ樹脂成形体、塩ビ樹脂成形体、ウレタン樹脂成型体、アクリル樹脂成型体、ポリエステル樹脂成型体、ポリエチレン樹脂成型体等を好適なものとして例示できる。金属製のものとしては、アルミ製、ステンレス製、亜鉛引き鋼板製のもの等を好適なものとして例示できる。
【００５５】
また、本発明の巾木取り付け構造の第一実施形態における出隅コーナー部Ｄの巾木取り付け構造、及び、それに用いる第一実施形態における出隅用コーナー部材２ａについて、上記のとおり詳述したが、第一実施形態における入隅コーナー部Ｅの巾木取り付け構造、及び、それに用いる第一実施形態における入隅用コーナー部材２ｂについても基本は同様である。
【００５６】
ここで、本発明の第一実施形態における出隅用コーナー部材２ａ又は入隅用コーナー部材２ｂを用いての巾木取り付け施工方法について述べる。
【００５７】
第一実施形態では、先ず、住宅の出隅コーナー部Ｄ又は入隅コーナー部Ｅにおいて、交差する向きに二本の巾木１を接着テープ、接着剤等を併用し、釘、木ネジ等の機械的取付手段Ｎを併用して、しっかりと所定位置に取り付け固定する。
【００５８】
このとき、巾木１のコーナー側端縁１ａは出隅又は入隅のコーナー角部から突出しないようにして、二本の巾木のコーナー側端縁１ａどうしは当接させずに空間部Ｕが形成されるように配慮する。
【００５９】
次に、出隅用コーナー部材２ａ又は入隅用コーナー部材２ｂを巾木１に対して上方から下方へ落とし込むようにして、巾木１の上部木端面１ｂとコーナー部材２の上部水平片Ｆ１を当接させ、同時に垂下片Ｓと保持片Ｈで巾木１の表面及び裏面を挟持する。このようにして、コーナー部材２の垂下片Ｓの下端部が床面Ｙに当接していることを確認する。
【００６０】
この状態で出隅用コーナー部材２ａ又は入隅用コーナー部材２ｂの取り付け位置に誤差が生じていないことを確認する。
【００６１】
次に、出隅用コーナー部材２ａ又は入隅用コーナー部材２ｂ及び巾木の取付状態に不具合がないことを確認した後、コーナー部材２をしっかりと本固定する。例えばゴム系樹脂接着剤等を用いて、巾木コーナー側端縁１ａにコーナー部材２をしっかりと取付固定する。
【００６２】
また、垂下片Ｓの下部に下部水平片Ｆ２が設けられている場合は、巾木１の下部木端面１ｃに前記下部水平片Ｆ２の内面が当接するようにして取り付ける。巾木１の上部木端面１ｂと下部木端面１ｃを上部水平片Ｆ１と下部水平片Ｆ２とで挟持するようにして取り付ける。
【００６３】
図３〜図６において、住宅の出隅コーナー部Ｄ、入隅コーナー部Ｅにおける、本発明の第二実施形態の巾木取り付け構造について述べる。本発明の第二実施形態における巾木取り付け構造、及び、それに用いる第二実施形態における出隅用コーナー部材３ａ、入隅用コーナー部材３ｂについて詳述する。
【００６４】
図３に、入隅コーナー部Ｅにおいて、本発明の第二実施形態における入隅用コーナー部材３ｂを用いた場合の巾木取り付け構造の水平断面図を示す。また、出隅コーナー部Ｄにおいて、本発明の第二実施形態における出隅用コーナー部材３ａを用いた場合の巾木取り付け構造も基本は同様である。出隅コーナー部材３ａの形状が出隅コーナー部Ｄに対応した形状とされている以外は下記に示す入隅用コーナー部材３ｂの場合と基本は同様である。
【００６５】
住宅の入隅コーナー部Ｅの内装壁面に内装材４が張り付けられ、入隅コーナー部Ｅが形成されている。二枚の内装材４が略直角に設けられ、それぞれの平面部に二本の巾木１が交差する向きに取り付けられている。平面部における巾木１の取り付け方法は、出隅コーナー部Ｄの場合と同様に、両面接着テープ、接着剤等に、釘、ステープル、木ネジ等の機械的取付手段Ｎを併用して取り付けられている。さらに、前記二本の巾木１は入隅コーナー部Ｅにおいて、巾木の入隅用コーナー部材３ｂによって覆われるようにして取り付けられている。第二実施形態における入隅コーナー部Ｅに用いる前記コーナー部材３は、入隅用コーナー部材３ｂである。
【００６６】
前記第二実施形態における入隅コーナー部材３ｂは、平面視略直角に折曲した形状を有し、入隅コーナー部Ｅの平面形状に対応した形状を有しており、垂直断面形状は、略逆Ｌ字型形状を有している。すなわち、平面視略直角に折曲した上部水平片Ｆ１と、該上部水平片Ｆ１の外側端縁から垂下して形成されて平面視略直角に折曲した垂下片Ｓとで構成されている。該垂下片Ｓは巾木１の高さ寸法より若干大きな高さ寸法を有している。
【００６７】
前記交差する向きに取り付けられている二本の巾木１の厚み方向が、前記入隅コーナー部材３ｂの上部水平片Ｆ１で覆われ、二本の巾木１の高さ方向が、前記入隅コーナー部材３ｂの垂下片Ｓで覆われている。
【００６８】
このようにして、入隅コーナー部材３ｂの上部水平片Ｆ１と垂下片Ｓと内装壁面に設けられた内装材４と床面Ｙと巾木コーナー側端縁１ａの木口面とで囲われた空間部Ｕが内包されるようにして構成されている。
【００６９】
また、入隅コーナー部Ｅにおいて、交差するように取り付けられている前記二本の巾木１のコーナー側端縁１ａの箇所が、入隅用コーナー部材３ｂによって覆われ、切断不良箇所や表面化粧材の剥がれなどの外観的に見苦しい箇所が隠蔽され、外観上見栄えの向上したものとなる。
【００７０】
従って、入隅コーナー部Ｅにおける内装壁面の内装材４と床面Ｙとの取り合い部に巾木１を取り付けるのに際して、熟練工でなくても、また、高精度の加工機械がなくても、作業性良く、しかも、外観の仕上がり性良く取り付け施工できる。さらに、巾木１の取り付け強度耐久性にも優れたものとなる。さらに、入隅用コーナー部材３ｂと巾木１との取り合い部において隙間等が生じることがなく、前記したように表面化粧材の剥離等も隠蔽可能で、施工仕上がりが良く、品質の安定性にも優れる。
【００７１】
また、前記空間部Ｕが設けられていることで、交差する向きに設けられている二本の巾木１の長さが多少長目でも、前記空間部Ｕに吸収されるので、施工時に巾木１の長さを切断する時、切断寸法に多少の誤差が生じても、精度の良い取り付け構造が可能となる。
【００７２】
また、前記入隅用コーナー部材３ｂの上部水平片Ｆ１及び垂下片Ｓの少なくとも何れか片方の左右の両方の端縁にテーパー部Ｐが設けられている。このように、テーパー部Ｐを設けると、入隅用コーナー部材３ｂの上部水平片Ｆ１の左右端縁と巾木１との取り合い部分において、前記テーパー部Ｐの働きで、上部水平片Ｆ１と巾木１の上部木端面１bとの間の段差が極めて小さくなり、仕上がり精度良く巾木１の取り付けが可能となる。
【００７３】
また、入隅用コーナー部材３ｂの垂下片Ｓの左右端縁と巾木１との取り合い部分において、前記テーパー部Ｐの働きで、垂下片Ｓと巾木１の表面との間の段差が極めて小さくなり、仕上がり精度良く巾木１の取り付けが可能となる。
【００７４】
第二実施形態における入隅用コーナー部材３ｂの詳細を図４〜図６に従って述べる。入隅用コーナー部材３ｂは前記したように、平面視略直角に折曲した形状を有し、入隅コーナー部Ｅの平面形状に対応した形状を有しており、垂直断面形状は、略逆Ｌ字型形状を有している。すなわち、平面視略直角に折曲した上部水平片Ｆ１と、該上部水平片Ｆ１の外側端縁から垂下して形成されて平面視略直角に折曲した垂下片Ｓとで構成されている。該垂下片Ｓは巾木１の高さ寸法より若干大きな高さ寸法を有している。
【００７５】
前記入隅用コーナー部材３ｂの垂下片Ｓが平面視略直角に折曲する箇所の裏面に内装壁面角部に向けて、単数個又は複数個の突出部Ｔが内装壁面に届く長さで形成されている。前記突出部Ｔは先端が尖った棒状体であるか、又は、所定の高さ寸法を有する垂直片である。
【００７６】
入隅用コーナー部材３ｂを巾木１に取り付ける際、前記入隅用コーナー部材３ｂの垂下片Ｓの平面視略直角に折曲する箇所の裏面に設けられた先端が尖った棒状体又は所定高さ寸法を有する垂直片からなる突出部Ｔを入隅コーナー部Ｅの角部に差し込むようにして押し込み、入隅コーナー部Ｅの箇所に入隅用コーナー部材３ｂをしっかりと取り付け固定し、その後、巾木１を交差する向きから各一本づつ、計二本を、巾木のコーナー側端縁１ａの方から、前記入隅コーナー用部材３ｂが形成している前記空間部Ｕの内部に差し込むようにして取り付ける。このようにして施工すると、入隅用コーナー部材３ｂが巾木１を覆うように極めて簡単に取り付け可能となる。従って、極めて施工作業性がよい巾木取り付け構造が可能となる。
【００７７】
また、前記突出部Ｔの先端部から枝分かれして、垂下片Ｓと略平行な片方向又は両方向に折曲し、巾木の裏面を受ける顎部Ｇが形成されている。入隅コーナー部Ｅにおいて、入隅用コーナー部材３ｂが巾木のコーナー側端縁１ａの箇所を覆うように取り付けた際、前記顎部Ｇによって、巾木１の裏面を受けることが可能となり、巾木１の裏面を受ける前記顎部Ｇの働きで、しっかりとした巾木１の取り付けが可能となる。すなわち、垂下片Ｓと顎部Ｇとで巾木１をしっかりと保持することができるので、強度耐久性に優れた巾木取り付け構造が可能となる。
【００７８】
前記顎部Ｇは突出部Ｔの先端近傍に枝分かれするように形成されている。先端箇所から若干寸法（約５〜３０ｍｍ程度）戻った位置から垂下片Ｓと略平行して左右両方向又は片方向に顎部Ｇが枝分かれして突き出るようにして形成されている。この顎部Ｇと垂下片Ｓの内面間の寸法（内法寸法）は巾木１の厚みと略等しいか又は巾木１の厚みより若干寸法（約０．３〜０．５ｍｍ程度）だけ大きめの寸法を有している。また、前記顎部Ｇは棒状体又は垂直片からなるものである。
【００７９】
また、入隅用コーナー部材３ｂの垂下片Ｓの下部が略直角に内側に折曲し、巾木下部木端面１ｃに当接するようにして、内装壁面角部に向け、下部水平片Ｆ２が設けられている。該下部水平片Ｆ２の働きで、しっかりとした巾木１の取り付けが可能となる。すなわち、上部水平片Ｆ１と下部水平片Ｆ２とで巾木１をしっかりと保持することができるので、強度耐久性に優れた巾木取り付け構造が可能となる。
【００８０】
本発明の第二実施形態における入隅用コーナー部材３ｂを用いた巾木取り付け構造は、上記のとおりである。また、第二実施形態における出隅用コーナー部材３ａも、その形状が出隅コーナー部Ｄに対応した形状とされている以外は上記入隅用コーナー部材３ｂと基本は同様である。
【００８１】
すなわち、本発明の巾木取り付け構造の第二実施形態における入隅コーナー部Ｅの巾木取り付け構造、及び、それに用いる第二実施形態における入隅用コーナー部材３ｂについて、上記のとおり詳述したが、第二実施形態における出隅コーナー部Ｄの巾木取り付け構造、及び、それに用いる第二実施形態における出隅用コーナー部材３ａについても基本は同様である。
【００８２】
また、第二実施形態における前記入隅用コーナー部材３ｂ及び出隅用コーナー部材３ａの材質としては、第一実施形態における入隅用コーナー部材２ｂ及び出隅用コーナー部材２ａと同様でよい。すなわち、硬質の合成樹脂成型体や金属製のものが強度等を考慮すると好適である。合成樹脂成型体としては、ＡＢＳ樹脂成型体、塩ビ樹脂成形体、ウレタン樹脂成型体、アクリル樹脂成型体、ポリエステル樹脂成型体、ポリエチレン樹脂成型体等を好適なものとして例示できる。金属製のものとしては、アルミ製、ステンレス製、亜鉛引き鋼板製のもの等を好適なものとして例示できる。
【００８３】
ここで、本発明の第二実施形態における出隅用コーナー部材３ａ又は入隅用コーナー部材３ｂを用いて、巾木を取り付ける際の施工方法について述べる。
【００８４】
第二実施形態では、先ず、住宅の出隅コーナー部Ｄ又は入隅コーナー部Ｅにおいて、コーナーの角部に、出隅用コーナー部材３ａ又は入隅用コーナー部材３ｂを両面接着テープ等を用いて仮止めする。
【００８５】
このとき、前もって、出隅用コーナー部材３ａ又は入隅用コーナー部材３ｂの、垂下片Ｓが平面視略直角に折曲する箇所の裏面に設けられた先端が尖った棒状体又は所定高さ寸法を有する垂直片からなる突出部Ｔを出隅コーナー部Ｄ又は入隅コーナー部Ｅのコーナー角部に差し込むようにして押し込み、前記突出部Ｔを内装材４に嵌入させる。
【００８６】
この状態で出隅用コーナー部材３ａ又は入隅用コーナー部材３ｂの取り付け位置に誤差が生じていないことを確認してから、両面接着テープを押圧し、しっかり仮固定する。
【００８７】
次に、交差する向きに配置した二本の巾木１を内装材４下部に取り付ける。このとき、巾木１のコーナー側端縁１ａを、出隅用コーナー部材３ａ又は入隅用コーナー部材３ｂの内部、すなわち、区間部Ｕの内部に差し込むようにして取り付け、巾木１の上部木端面１ｂとコーナー部材３の上部水平片Ｆ１の下面を当接させ、同時に垂下片Ｓの内面を巾木１の表面に当接させる。
【００８８】
このとき、巾木のコーナー側端縁１ａどうしの間に空間部Ｕが形成されるように配慮する。さらに、突出部Ｔの先端近傍において、枝分かれするようにして顎部Ｇが設けられている場合は、垂下片Ｓと顎部Ｇとで巾木１の表面及び裏面を挟持する。
【００８９】
次に、巾木取り付け位置に誤差が生じていないことを確認した後、交差する二本の巾木１を、それぞれ接着テープ、接着剤等を用い、釘、木ネジ等の機械的取付手段Ｎを併用してしっかりと取り付け固定する。
【００９０】
次に、出隅用コーナー部材３ａ又は入隅用コーナー部材３ｂ及び巾木の取付状態に不具合がないことを確認した後、例えばゴム系樹脂接着剤等を用いて、巾木コーナー側端縁１ａにコーナー部材３をしっかりと取付固定する。
【００９１】
また、垂下片Ｓの下部が内側に略直角に折曲し、巾木の下部木端面１ｃに当接するようにして下部水平片Ｆ２が設けられている場合は、巾木の上部木端面１ｂと下部木端面１ｃを上部水平片Ｆ１と下部水平片Ｆ２とで挟持するようにして取り付ける。
【００９２】
図４〜図６には、本発明の第二実施形態のコーナー部材３の形状のバリエーションを種々示している。上記したような構成と特徴を有するものである。
【図面の簡単な説明】
【００９３】
【図１】本発明の第一実施形態における出隅コーナー部の巾木取り付け構造を示す。（イ）水平断面図。（ロ）水平断面図におけるＡ−Ａ線垂直断面図。
【図２】本発明の第一実施形態における出隅用コーナー部材を示す。（イ）斜視図。（ロ）平面図。（ハ）Ａ−Ａ線垂直断面図。（ニ）Ｂ−Ｂ線水平断面図。
【図３】本発明の第二実施形態における入隅コーナー部の巾木取り付け構造の水平断面図。
【図４】本発明の第二実施形態における出隅用コーナー部材の一例を示す。（イ）斜視図。（ロ）Ａ−Ａ線水平断面図。（ハ）Ｂ−Ｂ線垂直断面図。
【図５】本発明の第二実施形態における入隅用コーナー部材の一例を示す。（イ）斜視図。（ロ）Ａ−Ａ線水平断面図。（ハ）Ｂ−Ｂ線垂直断面図。
【図６】本発明の第二実施形態における出隅又は入隅用コーナー部材のバリエーションを示す。（イ）は出隅用コーナー部材の水平断面図、（ロ）は出隅用コーナー部材の垂直断面図。（ハ）は出隅用コーナー部材の他の例における垂直断面図。（ニ）は入隅用コーナー部材の水平断面図。（ホ）は入隅用コーナー部材の垂直断面図。（ヘ）は入隅用コーナー部材の他の例における垂直断面図。
【図７】従来例の巾木取り付け構造を示し、（イ）は出隅コーナー部における突き合わせ加工部を示す水平断面図。（ロ）は出隅コーナー部における留め加工部を示す水平断面図。（ハ）は入隅コーナー部における突き合わせ加工部を示す水平断面図。（ニ）は入隅コーナー部における留め加工部を示す水平断面図。
【符号の説明】
【００９４】
１      巾木
１ａ    巾木のコーナー側端縁
１ｂ    巾木の上部木端面
１ｃ    巾木の下部木端面
２      第一実施形態における巾木コーナー部材
２ａ    同上の出隅用コーナー部材
２ｂ    同上の入隅用コーナー部材
３      第二実施形態における巾木コーナー部材
３ａ    同上の出隅用コーナー部材
３ｂ    同上の入隅用コーナー部材
Ｆ１    上部水平片
Ｆ２    下部水平片
Ｓ      垂下片
Ｈ      保持片
Ｒ      リブ
Ｐ      テーパー部
Ｕ      空間部
Ｔ      突出部
Ｇ      顎部
４      内装材
Ｎ      釘、木ネジ等の機械的取付手段
Ｄ      出隅コーナー部
Ｅ      入隅コーナー部
１１    従来の巾木
１１ａ  巾木のコーナー側端縁
１１ｂ  巾木の木口面
Ｋ      木口化粧材の小片
Ｌ      突き合わせ加工部
Ｍ      留め加工部
Ｙ      床面
【図１】
2009281052.tif 000003
【図２】
2009281052.tif 000004
【図３】
2009281052.tif 000005
【図４】
2009281052.tif 000006
【図５】
2009281052.tif 000007
【図６】
2009281052.tif 000008
【図７】
2009281052.tif 000009